(57)【要約】【課題】木目をもって木の香りがした物入れ用具の書類、文具、名刺、薄型小物、衣料を収納させる袋状物品入れにおいて、木目を浮き立たせて、木香りを持ち、汚れが付着しにくく、また、汚れ易い箇所を拭き洗いできるものを求めた。【解決手段】木製薄板で加工された物品入れ用具として、書類、文具、名刺、薄型小物、衣料を収納させる袋状物品入れにおいて、針葉樹林であるエゾマツ材、モミ材、ヒノキ材、スギ材、マツ材から選ばれた厚さ０．１〜１ｍｍの木製の薄平板の両面、又は片面に、ポリオレフィンの極薄品の厚さ５〜２０ミクロンのフイルムで食品安全な接着剤によって接着被覆された自然木状表面を持つ擬似未加工状態の薄板を使用している木製薄板で加工された物品入れ用具である。【選択図】図１
0003195301.tif 000002
【実用新案登録請求の範囲】
【請求項１】
木製薄板で加工された物品入れ用具として、書類、文具、名刺、薄型小物、衣料を収納させる薄板使用物品挿し入れ具において、針葉樹林であるエゾマツ材、モミ材、ヒノキ材、スギ材、マツ材から選ばれた厚さ０．１〜１ｍｍの木製の薄平板の両面、又は片面に、ポリオレフィンの極薄品の厚さ５〜２０ミクロンのフイルムで食品安全な接着剤によって接着被覆された自然木状表面を持つ擬似未加工状態の薄板を使用していることを特徴する木製薄板で加工された物品差し入れ用具。
【請求項２】
薄平板の表面を被覆する極薄品のポリオレフィンは、ポリエチレン、ポリプロピレン、ポリスチレンから選ばれた樹脂製フイルムであって、前記のフイルムの接着剤としてエチレンー酢酸ビニルコポリマー、又は多糖類であって、１〜１５ミクロンの厚さに塗布して加圧成形して、表面を樹脂フイルムで被った薄平板であることを特徴する請求項１に記載の木製薄板で加工された物品差し入れ用具。
【請求項３】
物品差し入れ用具として、書類、文具、名刺、薄型小物、衣料を収納させるファイル形式物品入れは、薄物の書類、文具、名刺、薄型小物、衣料を挿入できる幅３０〜３００ｍｍ、長さ５０〜５００ｍｍの長方形の一枚平板の折り曲げ式袋体で、上記の書類、文具、名刺、薄型小物、衣料を収納できる袋状、或はファイル形式であって、長方体の１〜２ケ所辺に挿入口を設けて、残りの箇所辺を綴じでおり、挿入口方向に２０〜２００ｍｍの三角模様、又は円形模様の切込部を持っている前記フイルム被覆木製薄板の被装する袋状収納袋であって、一枚の薄板を折り曲げた長方体の袋状容器の縦側と底側の１〜３端辺で３〜１０ｍｍの幅を接着剤の塗布と加圧接合によって接着されている特徴する請求項１又は請求項２に記載の木製薄板で加工された物品差し入れ用具。
【請求項４】
書類、文具、名刺、薄型小物、衣料を収納させるファイル形式物品差し入れ用具は、０．５〜１ｍｍの前記擬似未加工状態の木製薄板で幅２００〜５００ｍｍ、長さ３００〜５００ｍｍのシート状を成形加工して、幅３０〜３００ｍｍ、長さ５０〜５００ｍｍの長方形、又は正方形、又は台形、半円形から選ばれた形状であって、前記形状の挿入口の一端辺に折り返し蓋を取り付けていることを特徴とする請求項１〜請求項３のいずれかに記載の木製薄板で加工された物品差し入れ用具。
【請求項５】
ファイル形式物品入れ用具は、表面に貼る装飾模様として、厚さ０．１〜１ｍｍの紙、又は樹脂フイルム、又は布シートであって、円筒外周の表面の１／１０面から１／２を占めて、貼る紙、又は樹脂フイルム、又は布シートに使用して、加工板面に季節感に合わせた植物の葉、花、および風景をプリントし易いような状態、あるいは内容物を表現できるような図柄、文字の装飾体になって、又は薄板容器の蓋表面板と側板には彫刻模様または刻印を焼き付けていることを特徴とする請求項１〜請求項４のいずれかに記載の木製薄板で加工された物品差し入れ用具。
【考案の詳細な説明】
【技術分野】
【０００１】本考案は、木製薄板使用文具用具として薄板を使用した書類、文具、名刺、衣料を収納させるホルダー、又はファイル形式物入れ具の改良に関し、更に詳しくは、木目を浮き立たせて、木香りを持ち、汚れが付着しにくく、また、汚れ易い箇所を拭き洗いできて木の温もりを持つ木製薄板で加工された物品差し入れ用具に関する。
【背景技術】
【０００２】従来、書類、文具、名刺、衣料を収納させるホルダー、又はファイル形式物入れ具は、紙製、樹脂製、布製、皮製が一般であって、木製のものは少ない。またクリアファイルなど書類挟みとしては、樹脂、あるいは厚紙を使用することが多い。前記樹脂シートの一辺部近傍に結束した部材として、前記書類を差し込み、前記樹脂、あるいは厚紙の底辺側の二隅を内側に折り曲げ、次いで、前記シートの底辺側から頂部側に向かって書類を挿しこまれている。【０００３】合成樹脂製であって、長方形に形成された第一の外側シートと、上記第一の外側シートの幅方向一端部に延設され、延設線に沿って折り合わせることによって、上記第一の外側シートと対向して配置される第二の外側シートと、上記第一の外側シートの幅方向他端部に延設され、延設線に沿って折り合わせることによって、上記第一の外側シートと上記第二の外側シートとの間に配置される中間シートとから形成され、上記第一の外側シートと上記第二の外側シートは、下端縁部に沿って互いに溶着された構成とする。（特許文献１参照）。【０００４】ほぼ方形に裁断された可撓性薄手シートを、その中央部で二つ折りとして表表紙と裏表紙となし、二つ折りにしたシートの上下辺中央折り筋側端部を書類の綴じ代分の長さで表裏シートを固着し、裏表紙の中央折り筋の反対辺近くに、中央折り筋に先端が向かうように舌状切り込み片を設けたことで解決する。（特許文献２参照）。【０００５】木の香りとその殺菌性で衛生的な薄板を使用した書類、文具、名刺、衣料を収納させるホルダー、又はファイル形式物入れ具は存在していない。また汚れを簡単にふき取ることもできるものも見当たらない。廃棄処分も簡単にできる。
【先行技術文献】
【特許文献】
【０００６】
【特許文献１】特開２０１１−２３０４９２号公報
【特許文献２】特開２０１０−２６９５２９号公報
【考案の概要】
【考案が解決しようとする課題】
【０００７】しかしながら、上述した従来の薄板を使用した書類、文具、名刺、衣料を収納させるホルダー、又はファイル形式物入れ具にあっては、紙製、樹脂製、布製であって、それ自身抗菌性もなく、また、書類、差し入れ物品において、木目、木の香りとして、物品の指し物具を携帯することにおいて、目と鼻で癒しなど精神的安定感をもたらすものである。物入れ具に精神的見地からしても好ましいものではなかった。【０００８】本考案はこのような従来の問題点に鑑みてなされたもので、薄板を使用した書類、文具、名刺、衣料を収納させるホルダー、又はファイル形式物入れ具にして、木の温もりと木の香りとで精神的な気分を持たせる薄板木製の物入れ差し用具を提供することを目的としたものである。
【課題を解決するための手段】
【０００９】木製薄板で加工された物品入れ用具として、書類、文具、名刺、薄型小物、衣料を収納させる薄板使用物品挿し入れ具において、針葉樹林であるエゾマツ材、モミ材、ヒノキ材、スギ材、マツ材から選ばれた厚さ０．１〜１ｍｍの木製の薄平板の両面、又は片面に、ポリオレフィンの極薄品の厚さ５〜２０ミクロンのフイルムで食品安全な接着剤によって接着被覆された自然木状表面を持つ擬似未加工状態の薄板を使用している木製薄板で加工された物品差し入れ用具である。【００１０】薄平板の表面を被覆する極薄品のポリオレフィンは、ポリエチレン、ポリプロピレン、ポリスチレンから選ばれた樹脂製フイルムであって、前記のフイルムの接着剤としてエチレンー酢酸ビニルコポリマー、又は多糖類であって、１〜１５ミクロンの厚さに塗布して加圧成形して、表面を樹脂フイルムで被った薄平板である。【００１１】物品差し入れ用具として、書類、文具、名刺、薄型小物、衣料を収納させるファイル形式物品入れは、薄物の書類、文具、名刺、薄型小物、衣料を挿入できる幅３０〜３００ｍｍ、長さ５０〜５００ｍｍの長方形の一枚平板の折り曲げ式袋体で、上記の書類、文具、名刺、薄型小物、衣料を収納できる袋状、或はファイル形式であって、長方体の１〜２ケ所辺に挿入口を設けて、残りの箇所辺を綴じでおり、挿入口方向に２０〜２００ｍｍの三角模様、又は円形模様の切込部を持っている前記フイルム被覆木製薄板の被装する袋状収納袋であって、一枚の薄板を折り曲げた長方体の袋状容器の縦側と底側の１〜３端辺で３〜１０ｍｍの幅を接着剤の塗布と加圧接合によって接着されている。【００１２】書類、文具、名刺、薄型小物、衣料を収納させるファイル形式物品差し入れ用具は、０．５〜１ｍｍの前記擬似未加工状態の木製薄板で幅２００〜５００ｍｍ、長さ３００〜５００ｍｍのシート状を成形加工して、幅３０〜３００ｍｍ、長さ５０〜５００ｍｍの長方形、又は正方形、又は台形、半円形から選ばれた形状であって、前記形状の挿入口の一端辺に折り返し蓋を取り付けている。【００１３】ファイル形式物品入れ用具は、表面に貼る装飾模様として、厚さ０．１〜１ｍｍの紙、又は樹脂フイルム、又は布シートであって、円筒外周の表面の１／１０面から１／２を占めて、貼る紙、又は樹脂フイルム、又は布シートに使用して、加工板面に季節感に合わせた植物の葉、花、および風景をプリントし易いような状態、あるいは内容物を表現できるような図柄、文字の装飾体になって、又は薄板容器の蓋表面板と側板には彫刻模様または刻印を焼き付けている。
【考案の効果】
【００１４】本考案は上述のように構成された木香りを持つ薄板を使用した書類、文具、名刺、衣料を収納させるホルダー、又はファイル形式物入れ具は木の香りがして、非常に新鮮味を持ち、また木質独自の防菌、殺菌作用によって非常に安全安心である。フイルム被覆加工しているために汚れを簡単にふき取ることもできる。書類、文具、名刺、衣料の全体を被装するファイル、ホルダー、袋として本体と、該差し入れする本体に着脱自在になっている。【００１５】更に、木製薄板ホルダー、又はファイル形式物入れ具本体を特殊材料にて成形することによって、書類、文具、名刺、衣料を収納させるとともに、木の温もりと木の香りとで精神的な気分を持たせる。また、本考案の書類、文具、名刺、薄型小物、衣料を収納させる薄板使用物品挿し入れ具は、廉価なものとして需要者に供給できる。
【図面の簡単な説明】
【００１６】
【図１】木製薄板で加工された物品差し入れ用具である薄板を使用した書類を収納させるクリアファイルの図
【図２】木製薄板で物品差し入れ用具である薄板を使用した名刺を収納させる名刺入れの図
【図３】木製薄板で加工された物品差し入れ用具のハンカチなどの布類を収納させる包装袋の図
【図４】フイルムで接着被覆された薄板説明図。Ａ：フイルム被覆状態図  Ｂ：断面図
【図５】本考案に係るクリアファイルを挿入した書類の全体図、
【図６】本考案に係るポケット付き鉛筆入れ具の図。
【考案を実施するための形態】
【００１７】次に本考案に係る（Ａ：クリアファイル    Ｂ：名刺入れ  Ｃ：包装袋）の実施の一例の図面を参照しながら説明する。図１は、クリアファイル、図２は名刺入れ  、図３は包装袋との一例図、図４は、フイルムで接着被覆された擬似未加工状態の薄板説明図、図５は、本考案に係るクリアファイルを挿入した書類の図、図６は、本考案に係るポケット付き鉛筆入れ具の図である。
【実施例１】
【００１８】木製の薄板で加工された食事用具として、クリアファイルにおいては、スギ材厚さ０．５ｍｍの木製の薄平板の片面に、図４に示すようにポリプロピレンの１５ミクロンのフイルムで食品安全なエチレンー酢酸ビニールコポリマーの接着剤によって接着被覆された擬似未加工状態の薄板を製作して、木製薄板ファイル形式物入れ具のクリアファイルを製作した。【００１９】図１に示すように前記のクリアファイルは、幅２２０ｍｍ、長さ３１０ｍｍの長方形の一枚平板の折り曲げ式袋体で、箸の挿入口に一辺３０ｍｍの半円状切込部を持っている前記フイルム被覆木製薄板の被装する書類を入れるクリアファイルであって、一枚の薄板を折り曲げた長方体の袋状容器の底側の一端辺で５ｍｍの幅を接着剤の塗布と加圧接合によって接着した前記書類が簡単に着脱自在に内設されて少なくとも擬似未加工状態の部分を設けた。図５のように薄板のクリアファイルである木製薄板使用ファイル形式物入れ具を製作して、書類を挟んだ。
【実施例２】
【００２０】図２に示すように、木製の薄板で加工された事務用具として、名刺入れにおいては、スギ材厚さ０．８ｍｍの木製の薄平板の両面に、ポリプロピレンの１５ミクロンのフイルムでエチレンー酢酸ビニルコポリマーの接着剤によって接着被覆された薄板を使用した木製薄板ホルダーを製作した。【００２１】図２に示すように前記の名刺入れは、幅１００ｍｍ、長さ１５０ｍｍの長方形の一枚平板の折り曲げ式袋体で、名刺の挿入口に二カ所になるように折り曲げて収納部を設けたものであり、一枚の薄板を三カ所で折り曲げた長方体の二カ所の袋状容器の縦側の二端辺で５ｍｍの幅を接着剤と加圧接合によって接着した前記書類が簡単に着脱自在に内設された薄板の名刺入れである木製薄板使用ホルダーを製作した。
【実施例３】
【００２２】鉛筆入れは、木製の薄板で加工されたにおいては、スギ材厚さ０．７ｍｍの木製の薄平板の両面に、ポリオレフィンの１５ミクロンのフイルムで接着剤によって接着被覆された薄板を使用した木製薄板を製作した。【００２３】図６に示すように鉛筆入れは、１ｍｍの前記擬似未加工状態の木製薄板を幅７０ｍｍ、長さ２００ｍｍのシート状の、長方形形状であって、挿入口に一カ所になるように折り曲げて収納部を設けたものであり、一枚の薄板を三カ所で折り曲げた長方体の一カ所の袋状容器の縦側の二端辺で５ｍｍの幅を接着剤と加圧接合によって接着し、前記形状の一端にポケットを取り付けた木製薄板使用鉛筆入れ用具にした。
【符号の説明】
【００２４】１．  薄板
２．  フイルム
３．  クリアファイル
４．  名刺入れ
５．  書類入れ
６．  書類
７．  接着剤
８．  木目
９．  切込み部
１０．貼り付け部
１１．節
【図１】
0003195301.tif 000003
【図２】
0003195301.tif 000004
【図３】
0003195301.tif 000005
【図４】
0003195301.tif 000006
【図５】
0003195301.tif 000007
【図６】
0003195301.tif 000008